【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
数平均分子量が5,000〜100万のポリオレフィン系樹脂中に平均粒径50μm以下のエチレン−α-オレフィン−ジエン共重合体の動的架橋体が分散してなるドメインが、高分子バインダー中に分散されていることを特徴とする樹脂組成物。
【請求項２】
高分子バインダーが、水素添加スチレン系高分子、ポリプロピレン、及びエチレン−α-オレフィン共重合体から選択される少なくとも１種以上の高分子を含むことを特徴とする請求項１に記載の樹脂組成物。
【請求項３】
高分子バインダーが、水素添加スチレン系高分子100質量部に対して、パラフィン系オリゴマー10〜1,000質量部を含む組成物であることを特徴とする請求項１に記載の樹脂組成物。
【請求項４】
エチレン−α-オレフィン−ジエン共重合体の動的架橋体が、ムーニー粘度45未満（ASTM D1646、200℃）のエチレン−α-オレフィン−ジエン共重合体の動的架橋体であることを特徴とする請求項１〜３のいずれか１項に記載の樹脂組成物。
【請求項５】
エチレン−α-オレフィン−ジエン共重合体が、エチレン−プロピレン−ビニルノルボルネン共重合体であることを特徴とする請求項１〜４のいずれか１項に記載の樹脂組成物。
【請求項６】
エチレン−α-オレフィン−ジエン共重合体の動的架橋体が、ヒドロシリル基（SiH）を２個以上有する水素化ケイ素化合物を用いて、エチレン−α-オレフィン−ジエン共重合体をヒドロシリル化反応により動的架橋して得られたものであることを特徴とする請求項１〜５のいずれか１項に記載の樹脂組成物。
【請求項７】
ドメイン中、ポリオレフィン系樹脂が５〜50重量％、エチレン−α-オレフィン−ジエン共重合体の動的架橋体が50〜95重量％であることを特徴とする請求項１〜６のいずれか１項に記載の樹脂組成物。
【請求項８】
樹脂組成物中、高分子バインダーが５〜35重量％、ドメインが65〜95重量％であることを特徴とする請求項１〜７のいずれか１項に記載の樹脂組成物。
【請求項９】
数平均分子量が5,000〜100万のポリオレフィン系樹脂と未架橋のエチレン−α-オレフィン−ジエン共重合体を含む混合物を得る第一工程、該混合物に架橋反応を発現させるための材料を混合した後、剪断を与えながら上記エチレン−α-オレフィン−ジエン共重合体を動的架橋することによって、該ポリオレフィン系樹脂中に平均粒径50μm以下の該エチレン−α-オレフィン−ジエン共重合体の動的架橋体が分散してなるドメインの原体を得る第二工程、該ドメインの原体に高分子バインダーを添加し、混合して樹脂組成物を得る第三工程、からなることを特徴とする請求項１に記載の樹脂組成物の製造方法。
【請求項１０】
第一工程における混合物が、ムーニー粘度45未満（ASTM D1646、200℃）の未架橋のエチレン−α-オレフィン−ジエン共重合体100質量部に対して、ポリオレフィン系樹脂５〜50質量部、パラフィン系オリゴマー30質量部以下を含む混合物であることを特徴とする請求項９に記載の樹脂組成物の製造方法。
【請求項１１】
高分子バインダーが、水素添加スチレン系高分子100質量部に対して、パラフィン系オリゴマー10〜1,000質量部を含む組成物であることを特徴とする請求項９又は１０に記載の樹脂組成物の製造方法。
【請求項１２】
請求項１〜８のいずれか１項に記載の樹脂組成物からなる押出製品。
【手続補正２】
【補正対象書類名】明細書
【補正対象項目名】０００８
【補正方法】変更
【補正の内容】
【０００８】
本発明者は、上記課題を解決するために鋭意検討した結果、所定の分子量をもつポリオレフィン系樹脂に、所定の平均粒径をもつエチレン−α-オレフィン−ジエン共重合体の動的条件下で得られた架橋体（以下、動的架橋体という。）とからなるドメインを、高分子バインダー中に分散させることにより、上記課題を解決できることを見出し、かかる知見に基づき、種々の検討を重ね、遂に本発明を完成するに至った。
すなわち、本発明は、数平均分子量が5,000〜100万のポリオレフィン系樹脂中に平均粒径50μm 以下のエチレン−α-オレフィン−ジエン共重合体の動的架橋体が分散してなるドメインが、高分子バインダー中に分散されていることを特徴とする樹脂組成物である。
また、もう１つの本発明は、数平均分子量が5,000〜100万のポリオレフィン系樹脂と未架橋のエチレン−α-オレフィン−ジエン共重合体を含む混合物を得る第一工程、該混合物に架橋反応を発現させるための材料を混合した後、剪断を与えながら上記エチレン−α-オレフィン−ジエン共重合体を動的架橋することによって、該ポリオレフィン系樹脂中に平均粒径50μm以下の該エチレン−α-オレフィン−ジエン共重合体の動的架橋体が分散してなるドメインの原体を得る第二工程、該ドメインの原体に高分子バインダーを添加し、混合して樹脂組成物を得る第三工程、からなることを特徴とする上記樹脂組成物の製造方法である。
【手続補正３】
【補正対象書類名】明細書
【補正対象項目名】００１０
【補正方法】変更
【補正の内容】
【００１０】
以下、本発明について、図面を参照しつつ、詳細に説明する。図１は本発明の樹脂組成物を例示した説明図であるが、この図１に示すように、本発明の樹脂組成物１は、数平均分子量が5,000〜100万のポリオレフィン系樹脂２中に平均粒径50μm 以下のエチレン−α-オレフィン−ジエン共重合体の動的架橋体３が分散してなるドメイン４が、高分子バインダー５中に分散されていることを特徴とする。このドメイン４は、ポリオレフィン系樹脂２中に、ミクロゲルの微細粒子としてエチレン−α-オレフィン−ジエン共重合体の動的架橋体３が分散してなるポリオレフィン系熱可塑性エラストマーであり、高分子バインダー５中に安定してミクロ分散している。
【手続補正４】
【補正対象書類名】明細書
【補正対象項目名】００１２
【補正方法】変更
【補正の内容】
【００１２】
上記ポリオレフィン系樹脂は、数平均分子量が5,000〜100万の範囲のものを使用する。かかる範囲の数平均分子量をもつポリオレフィン系樹脂中に平均粒径50μm 以下のエチレン−α-オレフィン−ジエン共重合体の動的架橋体が分散してなるドメインが、本発明のゴム弾性的性質に優れた熱可塑性エラストマーの効果を得る上で好適だからである。
【手続補正５】
【補正対象書類名】明細書
【補正対象項目名】００１４
【補正方法】変更
【補正の内容】
【００１４】
上記エチレン−α-オレフィン−ジエン共重合体の動的架橋体は、形状や粒度分布については特に限定はないが、平均粒径は50μm以下であることが必要である。平均粒径が50μmよりも大きいと、本発明の樹脂組成物の効果を得る上で好適なドメインを得ることができない。平均粒径の下限については特に限定はなく、平均粒径が小さいほど、成形性（流動性）と永久歪等の諸物性が良好となるので好ましいが、一般には、下限の平均粒径は、0.05μm程度である。
エチレン−α-オレフィン−ジエン共重合体の動的架橋体の平均粒径は、本発明の樹脂組成物の成形シートを切断し、切断面において該動的架橋体の数が50〜100個になる領域を任意に選び、電子顕微鏡で該動的架橋体の長径と個数を観察し、その数平均による数値を平均粒径とする。
【手続補正６】
【補正対象書類名】明細書
【補正対象項目名】００２０
【補正方法】変更
【補正の内容】
【００２０】
本発明の樹脂組成物は、数平均分子量が5,000〜100万のポリオレフィン系樹脂と未架橋のエチレン−α-オレフィン−ジエン共重合体を含む混合物を得る第一工程（プレミキシング）、該混合物に架橋反応を発現させるための材料を混合した後、剪断を与えながら上記エチレン−α-オレフィン−ジエン共重合体を動的架橋することによって、該ポリオレフィン系樹脂中に平均粒径50μm 以下の該エチレン−α-オレフィン−ジエン共重合体の動的架橋体が分散してなるドメインの原体を得る第二工程（動的架橋）、該ドメインの原体に高分子バインダーを添加し、混合して樹脂組成物を得る第三工程（後添加）、からなることにより製造することができる。
【手続補正７】
【補正対象書類名】明細書
【補正対象項目名】００２２
【補正方法】変更
【補正の内容】
【００２２】
第一工程で得られた混合物を動的架橋する第二工程では、架橋反応に必要な熱履歴（温度と時間の積）と高剪断による動的環境を考慮して行われる。生成されるエチレン−α-オレフィン−ジエン共重合体の動的架橋体の平均粒径は、動的条件としての剪断速度に依存するので、上記動的架橋体の平均粒径が50μmとなるように、適宜剪断速度を設定する。通常、最大剪断速度が50sec-1以下では架橋体の形成が乏しく、8,000 sec-1を超えると装置の耐久性を上回ってしまう。したがって、本発明においては、50〜2,000sec-1の最大剪断速度が適当であり、この範囲内でより高い方がよい。また、温度条件については、80℃未満ではポリオレフィン系樹脂の流動開始温度の下限を下回り、300℃を上回ると材料の耐久温度を超えるので、80〜300℃の範囲が適当であり、特には180〜280℃が望ましい。この工程における混練装置の選定については任意であって特に限定はないが、より高い最大剪断速度を与える能力がある二軸押出混練機が最適である。その際、充満率が30〜40％を超える条件とするのがよい。